(57)【要約】【課題】従来発明の構成は、センサの保持具と電装品箱が各々分かれているために、部品点数が増え、保持具を電装品箱に取付ける作業も発生する。また、その構造上、センサの保持具及び電装品箱の保持具とに接合部の構造が複雑になる。【解決手段】外箱と前記外箱の内部に載置された熱交換器と電装品箱を設けた空気調和機の室外機であって、電装品箱の外郭に第１の舌部と第２の舌部を設け、前記第１の舌部にはセンサ保持部が設けられ、前記センサ保持部と電装品箱の外郭との間に前記熱交換器の上端部分を挟持するようにし、且つ前記第２の舌部は前記熱交換器の上端に当接して、前記電装品箱を支持する。【選択図】図１
2005291641.tif 000002
【特許請求の範囲】
【請求項１】
外箱と、前記外箱の内部に載置された熱交換器と、電装品箱を設けた空気調和機の室外機であって、前記電装品箱は、その外郭に第１の舌部と第２の舌部を持ち、前記第１の舌部にはセンサ保持部が設けられ、前記センサ保持部と電装品箱の外郭との間に前記熱交換器の上端部分を挟持するようにし、且つ前記第２の舌部は前記熱交換器の上端に当接して、前記電装品箱を支持することを特徴とする空気調和機の室外機。
【請求項２】
センサ保持部は爪部を有し、第１の舌部には前記爪部に嵌合する受け部を有して相互に着脱自由なることを特徴とする、請求項１記載の空気調和機の室外機。
【請求項３】
電装品箱外郭とセンサ保持部の距離は熱交換器の厚さと略一致することを特徴とする、請求項１〜２のいずれかに記載の空気調和機の室外機。
【請求項４】
センサ保持部の少なくとも上面にはセンサの信号線を係止する信号線保持部を設けたことを特徴とする、請求項１〜３のいずれかに記載の空気調和機の室外機。
【発明の詳細な説明】
【技術分野】
【０００１】
本発明は空気調和機の室外に係り、より詳細には、外気温を検知する温度センサの保持具に関する。
【背景技術】
【０００２】
空気調和機の室外機には例えば図３に示すような構成部品からなるものがある。この室外機の本体は基板１と、前面グリル２、外箱３（外箱右側３ａ、外箱左側３ｂ）、上板４とからなり、本体内部は基板１に搭載された圧縮機５（図示せず）と、Ｌ状に折曲形成され基板背面に配置された熱交換器６と、同熱交換器６の下流側に設けられた送風機７と、電気部品を収納した電装品箱１０８を配置し、熱交換器６の外側上部には外気温を検出するための温度センサ１０９が有り、この温度センサ１０９の信号線１１０は、熱交換器６に係止させた保持具１１で保持するようになっている。
【０００３】
上記構成において、外気温を検知する温度センサ１０９の取付に関する発明として例えば電装品箱に取付けるとした発明が開示されている。
【０００４】
図４〜５は上記従来の発明の構成図である。同図に示すように、電装品箱１０８の背面側から延出させた温度センサ１０９の信号線１１０を、電装品箱１０８の背面側に回転自在に水平方向に設けた保持具１１１に取付けておき、電装品箱１０８の取付後、保持具１１１を熱交換器６の前面にほぼ垂直になるまで回転させる事例が開示されている（例えば、特許文献１参照）。
【特許文献１】特開平１１−１１８２０４号公報
【発明の開示】
【発明が解決しようとする課題】
【０００５】
しかしながら、前記従来発明の構成は、センサの保持具と電装品箱が各々分かれているために、部品点数が増え、保持具を電装品箱に取付ける作業も発生する。また回転させる構造上、センサの保持具及び、電装品箱の保持具とに接合部の構造が複雑とになる。また、センサ組付け時に保持具を熱交換器の前面にほぼ垂直になるまで回転させるために多大な時間を要し、また確実に作業を行わなかった場合センサが外気温を検知できないという課題が生じる。
【０００６】
本発明は、上記従来の課題を解決し、部品点数を増やすことなく、またセンサ保持具を電装品箱に取付ける作業もなく、センサの保持具及び、電装品箱の接合部の構造も容易にして組立性を向上させ、さらにしかるべき位置にて正確にセンサの保持をする事が出来る空気調和機の外気温センサの保持具を提供することを目的とする。
【課題を解決するための手段】
【０００７】
前記従来の課題を解決するために、本発明の空気調和機の室外機は、外箱と、前記外箱の内部に載置された熱交換器と、電装品箱を設けた空気調和機の室外機であって、前記電装品箱は、その外郭に第１の舌部と第２の舌部を持ち、前記第１の舌部にはセンサ保持部が設けられ、前記センサ保持部と電装品箱の外郭との間に前記熱交換器の上端部分を挟持するようにし、且つ前記第２の舌部は前記熱交換器の上端に当接して、前記電装品箱を支持することを特徴とするものである。
【発明の効果】
【０００８】
以上のように、本発明によれば、本発明は、上記従来の課題を解決し、部品点数を増やすことなく、またセンサ保持具を電装品箱に取付ける作業もなく、センサの保持具及び、電装品箱の接合部の構造も容易にして組立性を向上させる。また、センサ組付け時に保持具を熱交換器の前面にほぼ垂直になるまで回転させるための作業をする必要がなく、さらにしかるべき位置にて正確にセンサの保持をすることができる。
【発明を実施するための最良の形態】
【０００９】
第１の発明は、外箱と、前記外箱の内部に載置された熱交換器と、電装品箱を設けた空気調和機の室外機であって、前記電装品箱は、その外郭に第１の舌部と第２の舌部を持ち、前記第１の舌部にはセンサ保持部が設けられ、前記センサ保持部と電装品箱の外郭との間に前記熱交換器の上端部分を挟持するようにし、且つ前記第２の舌部は前記熱交換器の上端に当接して、前記電装品箱を支持することにより、例えば部品点数を増やすことなく、またセンサ保持具を電装品箱に取付ける作業もなく、センサの保持具及び、電装品箱の接合部の構造も容易にして組立性を向上させることができる。
【００１０】
第２の発明は、特に第１の発明のセンサ保持部に爪部を有し、第１の舌部には前記爪部に嵌合する受け部を有して相互に着脱自由とすることにより、例えばセンサ組付け時に保持具を熱交換器の前面にほぼ垂直になるまで回転させるために作業することなく、また確実に作業を行わなかった場合センサが外気温を検知できないという課題が解決する。また、センサ保持部は爪部を有し、電装品箱の外郭は前記爪部に嵌合する受け部を有し、相互に着脱自由になることにより、組立時まで、電装品箱とセンサ保持部を別々に運搬収納することにより運搬収納効率が向上し、同一容積でより多くの員数を収納することができる。
【００１１】
第３の発明は、特に第１〜第２の発明の電装品箱外郭とセンサ保持部の距離を熱交換器の厚さと略一致とすることにより、例えばセンサ保持具を電装品箱に取付ける作業時、保持具を熱交換器の前面にほぼ垂直になるまで回転させるために作業することなしに、確実にセンサが外気温を検知できる位置にセンサ保持部を固定することができる。
【００１２】
第４の発明は、特に第１〜第３の発明のセンサ保持部の少なくとも上面にはセンサの信号線を係止する信号線保持部を設けたことを特徴とするとすることにより、例えば部品点数を増やすことなく、またセンサの信号線の収納作業を容易にし、また、信号線が熱交換器の金属先端で傷つき断線するのを防止することができる。
【００１３】
以下、本発明の実施例について、図１および図２を参照にしながら説明する。なお、この実施の形態によって本発明が限定されるものではない。
【００１４】
（実施の形態１）
図１および図２を用いて本発明による空気調和機の室外機の構成について説明する。
【００１５】
図１は本発明の実施の形態１における、電装品箱およびセンサ保持具の斜視図である。同図において、電装品箱８の側面には第１の舌部１５と第２の舌部１６が延設されている。
【００１６】
第１の舌部１５にはセンサ保持具１１が嵌着されるようになっている。このとき、センサ保持具１１には爪部１３が設けられ、一方第１の舌部１５には爪部１３と嵌着する受け部１２が設けられており、着脱自在である。
【００１７】
また、センサ保持具１１にはセンサ９を保持し、且つ外気が通過できるようになっている保持部１１ａが設けられている。
【００１８】
センサ９はセンサ保持部１１ａの中に収納されており、且つセンサ９の信号線１０は第１の舌部１５に設けられた信号線保持部１４に保持され電装品箱８へ導かれている。
【００１９】
なお、センサ保持具９と電装品箱８の相互の距離は、熱交換器６の厚みと略同一である。
【００２０】
一方、第２の舌部１６は電装品箱８の側面で第１の舌部１５と同等かあるいは若干低い位置に設けられており、電装品箱８を熱交換器６の上部に載置した際に熱交換器６の上面に当設し、電装品箱８の重量を支持するようになっている。
【００２１】
本構成により、センサの保持具及び、電装品箱の接合部の構造も容易にして、組立性の向上と運搬性を両立することができる。
【００２２】
また、確実にセンサが外気温を検知できる位置にセンサ保持部を固定することができる。また、センサの信号線の収納作業を容易にし、また、信号線が熱交換器の金属先端で傷つき断線するのを防止することができる。
【産業上の利用可能性】
【００２３】
以上のように、本発明にかかる空気調和機の室外機では、電装品箱がその外郭と所定の距離隔てて設けられたセンサ保持部を有し、前記センサ保持部と電装品箱外郭の間で前記熱交換器の上端部分を挟持するように担持されることを特徴とすることにより、例えば部品点数を増やすことなく、またセンサ保持具を電装品箱に取付ける作業もなく、センサの保持具及び、電装品箱の接合部の構造も容易にして組立性を向上させることができるので、室内機の電装品箱とセンサ保持部にも応用することができる。
【図面の簡単な説明】
【００２４】
【図１】本発明の第１の実施の形態の空気調和機の電装品箱ならびにセンサ保持具の斜視図
【図２】本発明の第１の実施の形態の電装品箱を搭載した空気調和機の室外機の斜視図
【図３】従来の空気調和機の電装品箱ならびにセンサ保持具の斜視図
【図４】従来の空気調和機の室外機のセンサ及びその保持部の詳細図
【図５】従来の空気調和機の室外機のセンサ及びその保持部の詳細図
【符号の説明】
【００２５】
１  基板
２  前面グリル
３  外箱
３ａ  外箱右側
３ｂ  外箱左側
４  上板
５  圧縮機
６  熱交換器
７  送風機
８  電装品箱
９  温度センサ
１０  信号線
１１  保持具
１１ａ  保持部
１２  電装品箱の外郭に爪部に嵌合する受け部
１３  センサ保持部は爪部
１４  信号線保持部
【図１】
2005291641.tif 000003
【図２】
2005291641.tif 000004
【図３】
2005291641.tif 000005
【図４】
2005291641.tif 000006
【図５】
2005291641.tif 000007